(57)【特許請求の範囲】
【請求項１】
取付部材を取付孔が穿設されたパネルに固定する固定クリップにおいて、スリットを介して分割された拡開可能な複数の脚片を有するグロメットと、該グロメット内に押し込まれてその各脚片を拡開するピンと、パネルの取付孔に装着されて内部に上記グロメットを収納する筒形袋状のシールキャップを備え、当該シールキャップは、上記グロメットの各脚片を離間するスリットと対応する部位に内側にＶ字状に窪んだ複数の伸長可能なプリーツを有することを特徴とする固定クリップ。
【請求項２】
シールキャップのパネルの取付孔と対応する部位は、プリーツを有せずに、当該取付孔形状と相似していることを特徴とする請求項１記載の固定クリップ。
【請求項３】
シールキャップのプリーツを有しない部分は、その内周面側にプリーツと連続するガイド突起を形成していることを特徴とする請求項２記載の固定クリップ。
【請求項４】
取付部材を取付孔が穿設されたパネルに固定する固定クリップにおいて、スリットを介して分割された拡開可能な複数の脚片を有するグロメットと、該グロメット内に押し込まれてその各脚片を拡開するピンと、上記グロメットの各脚片を離間するスリットと対応する部位に内側にＶ字状に窪んだ複数の伸長可能なプリーツを有してグロメットを内部に収納する筒形袋状のシールキャップの３部品から成り、グロメットは、シールキャップの内周面と連通する空間を有して、３部品の仮組み付け時には、ピンの一部が当該空間を介してシールキャップの内周面と直に接触することを特徴とする固定クリップ。
【請求項５】
ピンは、グロメットの各脚片間のスリット内を移動する複数のリブ壁を有して、当該各リブ壁が上記スリットを介してシールキャップの内周面と直に接触することを特徴とする請求項４記載の固定クリップ。
【発明の詳細な説明】
【０００１】
【発明の属する技術分野】
本発明は、例えば、自動車のガーニッシュの如き取付部材を、所定のパネルに固定するために使用される固定クリップの改良に関するものである。
【０００２】
【従来の技術】
従来のこの種固定クリップとして、実開平６−２２６１０号公報に示すものが存する。
該従来の固定クリップは、具体的には図示しないが、グロメットとピンとシールキャップの３部品から成り、第一のグロメットは、筒状本体の上端縁にフランジを形成すると共に、筒状本体の下部側にスリットを介して拡開可能な複数の脚片を形成し、第二のピンは、グロメットの筒状本体内に押し込まれる棒状体を呈して、その中央外周に上記各脚片の内向突起を係合する係合溝を形成し、第三のシールキャップは、フランジを有する筒形袋状を呈して、その内部にグロメットを収納できる構成となっている。
【０００３】
そして、斯る３部品から成る固定クリップを用いて、ガーニッシュの如き取付部材をパネルに固定する場合には、まず、パネル側に穿設されている取付孔にシールキャップをそのフランジを介して装着した後、今度は、当該シールキャップの口部と取付部材側に穿設されている取付孔とを一致させながら、ピンを予め仮組み付けしているグロメットを取付部材の取付孔から上記シールキャップの内部に収納して、最後に、ピンをグロメット内に完全に押し込むと、当該ピンの係合溝にグロメットの各脚片の内向突起が係合して、各脚片がシールキャップの内部において外方に拡開するので、これにより、取付部材がパネル側に固定されることとなる。
【０００４】
【発明が解決しようとする課題】
従って、従来の固定クリップの下では、シールキャップの存在によって、その固定個所での水密性を十分に確保しながら、取付部材をパネル側に固定できる利点を有することとなるが、このシールキャップは、単に、グロメットの筒状本体を収納できる大きさの筒形袋状を呈しているだけであるから、グロメットの各脚片をピンで外方に拡開する場合には、当該シールキャップを無理矢理変形させながら強制的に拡開しなければならない。
【０００５】
この為、従来の固定クリップにあっては、ピンのグロメット内に対する押し込み作業が自ずと大変となることは言うまでもないが、特に、各脚片の拡開に際しては、シールキャップがそれに追随して十分に変形しきれないと、各脚片の拡開量が不足して、各脚片のパネルの取付孔の孔縁に対する係止力が自ずと低下してしまう恐れが十分にあった。
【０００６】
【課題を解決するための手段】
本発明は、斯る従来の固定クリップが抱える課題を有効に解決するために開発されたもので、請求項１記載の発明は、取付部材を取付孔が穿設されたパネルに固定する固定クリップにおいて、スリットを介して分割された拡開可能な複数の脚片を有するグロメットと、該グロメット内に押し込まれてその各脚片を拡開するピンと、パネルの取付孔に装着されて内部に上記グロメットを収納する筒形袋状のシールキャップを備え、当該シールキャップは、上記グロメットの各脚片を離間するスリットと対応する部位に内側にＶ字状に窪んだ複数の伸長可能なプリーツを有する構成を採用した。
【０００７】
請求項２記載の発明は、請求項１を前提として、シールキャップのパネルの取付孔と対応する部位は、プリーツを有せずに、当該取付孔形状と相似している構成を採用した。
【０００８】
請求項３記載の発明は、請求項２を前提として、シールキャップのプリーツを有しない部分は、その内周面側にプリーツと連続するガイド突起を形成している構成を採用した。
【０００９】
請求項４記載の発明は、取付部材を取付孔が穿設されたパネルに固定する固定クリップにおいて、スリットを介して分割された拡開可能な複数の脚片を有するグロメットと、該グロメット内に押し込まれてその各脚片を拡開するピンと、上記グロメットの各脚片を離間するスリットと対応する部位に内側にＶ字状に窪んだ複数の伸長可能なプリーツを有してグロメットを内部に収納する筒形袋状のシールキャップの３部品から成り、グロメットは、シールキャップの内周面と連通する空間を有して、３部品の仮組み付け時には、ピンの一部が当該空間を介してシールキャップの内周面と直に接触する構成を採用した。
【００１０】
請求項５記載の発明は、請求項４を前提として、ピンは、グロメットの各脚片間のスリット内を移動する複数のリブ壁を有して、当該各リブ壁が上記スリットを介してシールキャップの内周面と直に接触する構成を採用した。
【００１２】
依って、請求項１記載の発明にあって、グロメットの各脚片がシールキャップを介してパネルの取付孔の孔縁に拡開して係止する時には、シールキャップの各プリーツがこれに追随しながら伸長して、シールキャップ自体の変形を容易に促すことが可能となるので、従来の如く、シールキャップの十分な変形が得られずに、各脚片の拡開量が不足して、各脚片のパネルの取付孔の孔縁に対する係止力が低下してしまう心配が全くなくなる。
【００１３】
請求項２記載の発明にあっては、シールキャップとパネルの取付孔との関係においても、十分な水密性が確保できる。請求項３記載の発明にあっては、スリットとガイド突起の案内で、グロメットを位置決めしながらシールキャップ内にスムーズに収納することが可能となる。
【００１４】
請求項４記載の発明にあっては、請求項１と同様に、シールキャップ自体の変形を容易に促すことが可能となることに加えて、特に、３部品の仮組み付け時には、グロメット側の空間を介して、ピンの一部がシールキャップの内周面と直に接触するので、極めて簡単な方法をもって、３部品の確実な仮組み付け状態が得られることとなる。請求項５記載の発明にあっては、ピンのリブ壁がグロメットのスリットを介してシールキャップの内周面に接触する関係で、３部品のより一層確実な仮組み付け状態が保障できる。
【００１５】
【発明の実施の形態】
以下、本発明を図示する好適な実施の形態に基づいて詳述すれば、該実施の形態に係る固定クリップも、基本的には、図１に示す如く、従来と同様に、グロメット１とピン１１とシールキャップ２１の３部品から成るものである。
【００１６】
そして、第一のグロメット１は、合成樹脂で一体に成形されて、図２のＡにも示す如く、中央に通孔２ａを有する円板状のフランジ２と、該フランジ２の通孔２ａ下縁から垂下してその全長がスリット４を介して等分割された４本の脚片３とを有し、当該各脚片３の先端部寄りの外周面に凹溝５を個々に形成すると共に、同内周面に内向突起６を個々に形成する構成となっている。
【００１７】
第二のピン１１は、同様に、合成樹脂で一体に成形されて、図２のＢにも示す如く、円板状のフランジ１２と、該フランジ１２の下面から垂下する軸状先細りのステム１３とを有し、当該ステム１３の先端部側に上記各脚片３の内向突起６を係合する係合溝１４を形成すると共に、該係合溝１４からフランジ１２に至る外周に上記各脚片３を離間するスリット４内を移動する４本のリブ壁１５を等間隔をおいて形成する構成となっている。
【００１８】
第三のシールキャップ２１は、柔軟な合成ゴムで一体に成形されて、図３にも示す如く、上端縁にリング状のフランジ２２を有する筒形袋状を呈し、その中央部から下部側、即ち、上記グロメット１の各脚片３の拡開範囲と対応する部位に対しては、内側にＶ字状に窪んだ４本の伸長可能なプリーツ２３を等間隔をおいて形成すると共に、該各プリーツ２３間の内周面に上記各凹溝５と嵌合する抜け止め突起２４を形成し、プリーツ２３が形成されていない上部側に対しては、その外周面を後述するパネルの丸形取付孔の形状と相似する正円形状となすと共に、内周面の長手方向に上記Ｖ字状に窪んだプリーツ２３と連続してＶ字状に突出する４本のガイド突起２５を形成する構成となっている。
【００１９】
依って、斯る３部品から成る固定クリップを用いて、ガーニッシュの如き取付部材Ｐ１をパネルＰ２に固定する場合には、まず、これに先だって、図４に示す如く、シールキャップ２１の内部にグロメット１を収納して、２部品１・２１を仮組み付けすることとなるが、この場合には、シールキャップ２１の上部内周面側に形成されている各ガイド突起２５とグロメット１の脚片３を離間する各スリット４とを一致させれば、これにより、グロメット１を位置決めしながらシールキャップ２１の内部にスムーズに収納することが可能となる。
【００２０】
しかも、上記のガイド突起２５は、下部側のプリーツ２３と連続しているので、下部側ではこのプリーツ２３がスリット４との関係でガイド作用を果たすこととなると共に、最終的には、シールキャップ２１の抜け止め突起２４が対応する各脚片３の凹溝５に嵌合するので、グロメット１自体が誤ってシールキャップ２１側から抜け外れる心配も決してない。尚、斯る状態にあっては、シールキャップ２１の各プリーツ２３は、グロメット１の各脚片３を離間するスリット４内に存在している。
【００２１】
次に、続いて、ピン１１をグロメット１側に仮組み付けすることとなるが、ピン１１をグロメット１内に押し込むと、今度は、図５に示す如く、ピン１１の各リブ壁１５がグロメット１の各脚片３間のスリット４を介してシールキャップ２１の内周面側のガイド突起２５とプリーツ２３とに直に接触して、ピン１１をシールキャップ２１に直接的に止着できるので、これにより、３部品１・１１・２１の確実な仮組み付け状態が得られることとなる。この為、取り扱いに際して、３部品１・１１・２１がバラバラとなることは決してない。
【００２２】
そこで、斯る仮組み付け状態を得た後は、取付部材Ｐ１側に穿設されている丸形の取付孔Ｈ１とパネルＰ２側に穿設されている丸形の取付孔Ｈ２とを一致させながら、シールキャップ２１をそのフランジ２２を介して取付部材Ｐ１の取付孔Ｈ１とパネルＰ２の取付孔Ｈ２に装着した後、ピン１１のステム１３をそのリブ壁１５と各脚片３間のスリット４とを案内として完全に押し込むと、図６に示す如く、ピン１１の係合溝１４に各脚片３の内向突起６が係合して、各脚片３がシールキャップ２１の内部において拡開するので、これにより、取付部材Ｐ１がパネルＰ２側に即座に固定される。
【００２３】
しかし、本実施の形態にあっては、既述した如く、シールキャップ２１のグロメット１の各脚片３の拡開範囲と対応する部位にＶ字状に窪んだ４本の伸長可能なプリーツ２３を形成している関係で、各脚片３がピン１１で強制的に拡開する時には、当該各プリーツ２３がその弾性を利用して外側方向に伸長して、シールキャップ２１の下部側の拡がり変形を容易に促すことが可能となるので、従来の如く、シールキャップ２１の十分な変形が得られずに、各脚片３の拡開量が不足して、各脚片３のパネルＰ２の取付孔Ｈ２の孔縁に対する係止力が低下してしまう心配が全くなくなる訳である。従って、本実施の形態の下では、例え、シールキャップ２１を使用すると雖も、シールキャップ２１の存在が邪魔となることなく、常に、十分な水密性を確保しながら、取付部材Ｐ１の確実且つ安定した固定状態が保障できることとなる。
【００２４】
しかも、このシールキャップ２１の変形は、各脚片３間のスリット４内にプリーツ２３が存在している関係で、シールキャップ２１のより効果的な変形が保障できることは言うまでもないが、シールキャップ２１自体を容易に変形できることは、これに伴い、ピン１１の押し込み作業に大きな力が不要となるので、当該ピン１１のグロメット１内に対する押し込み作業も自ずと良好となる。
【００２５】
その上、プリーツ２３が形成されていないシールキャップ２１の上部側外周は、パネルＰ２の取付孔Ｈ２と相似する正円形を呈しているので、取付孔Ｈ２との関係においても、そのフランジ２２の存在と相俟って、水密性が十分に確保されることとなる。
【００２６】
【発明の効果】
以上の如く、本発明は、上記構成の採用により、請求項１の下では、グロメットの各脚片がシールキャップを介してパネルの取付孔の孔縁に拡開して係止する時には、シールキャップの各プリーツがこれに追随しながら伸長して、シールキャップ自体の変形を容易に促すことが可能となるので、従来の如く、シールキャップの十分な変形が得られずに、各脚片の拡開量が不足して、各脚片のパネルの取付孔の孔縁に対する係止力が低下してしまう心配が全くなくなる。
【００２７】
請求項２の下では、シールキャップとパネルの取付孔との関係においても、十分な水密性が確保できる。請求項３の下では、スリットとガイド突起の案内で、グロメットを位置決めしながらシールキャップ内にスムーズに収納することが可能となる。
【００２８】
請求項４の下では、請求項１と同様に、シールキャップ自体の変形を容易に促すことが可能となることに加えて、特に、３部品の仮組み付け時には、グロメット側の空間を介して、ピンの一部がシールキャップの内周面と直に接触するので、極めて簡単な方法をもって、３部品の確実な仮組み付け状態が得られることとなる。請求項５の下では、ピンのリブ壁がグロメットのスリットを介してシールキャップの内周面に接触する関係で、３部品のより一層確実な仮組み付け状態が保障できる。
【図面の簡単な説明】
【図１】本発明の実施の形態に係る固定クリップを示す分解斜視図である。
【図２】（Ａ）は図１のＡ−Ａ線断面図、（Ｂ）は図１のＢ−Ｂ線断面図である。
【図３】（Ａ）は図１のＣ−Ｃ線断面図、（Ｂ）は図１のＤ−Ｄ線断面図である。
【図４】シールキャップ内にグロメットを収納した状態を示す断面図である。
【図５】グロメットとピンとシールキャップの３部品を仮組み付けした状態を示す断面図である。
【図６】取付部材をパネル側に固定した状態を示す半断面図である。
【符号の説明】
１    グロメット
２    フランジ
２ａ  同通孔
３    脚片
４    スリット
５    凹溝
６    内向突起
１１  ピン
１２  フランジ
１３  ステム
１４  係合溝
１５  リブ壁
２１  シールキャップ
２２  フランジ
２３  プリーツ
２４  抜け止め突起
２５  ガイド突起
Ｐ１  取付部材
Ｈ１  同取付孔
Ｐ２  パネル
Ｈ２  同取付孔
【図１】
0003749017.tif 000002
【図２】
0003749017.tif 000003
【図３】
0003749017.tif 000004
【図４】
0003749017.tif 000005
【図５】
0003749017.tif 000006
【図６】
0003749017.tif 000007